(57)【要約】【課題】  飲料入れのペットボトルから外部に飲料をくみとるペットボトル用ポンプが、ペットボトルの容積サイズの大、小に一台のペットボトルポンプで対応の出来る通路パイプ体であること。また、ポンプを飲料の入ったペットボトルに実装状態でテーブルに放置しておいても、飲料の気抜けのないペットボトル用ポンプであること。【課題を解決するための手段】モーター３に直結して回動自在な羽根車２でペットボトル内の飲料をくみとる電池式のポンプで、飲料の通過するために設けた中空状の通路パイプ体９を２分割にして、それぞれのパイプが相俟って伸縮自在の第１通路パイプ１１の端部と第２通路パイプｌ２との端部とが飲料がもれることのない適合スライドで。所定の通路パイプ体９の長さが保持体１３によってホルド可能にし、通路パイプ体９の全長を自在に調整の出来る構成にした。【選択図】  図１
2005320061.tif 000002
【特許請求の範囲】
【請求項１】
飲料入れのペットボトルの開口部（ａ）に挿入固着可能な吸込み孔（１ａ）付での筒状のモーターケース体（１）は、内蔵する飲料吸込み用の羽根車（２）が防水体でなるモーター（３）に回動自在に直結し、これらが蓋（４）付で底受（５）付でのエア抜き孔（６ａ）のあるケース本体（６）に内設する乾電池（７）とスイッチ体（８）とがそれぞれ配線接続され、羽根車（２）の回動によって吸込まれた飲料が中空で配線の通った通路パイプ体（９）を通過して、それに頂部で直交連結する注出パイプ体（１０）の注出口（１０ａ）より排出可能でなるペットポトル用ポンプにおいて、スイッチ体（８）に結合してケース体（６）の外周で排出口（１０ａ）の下方に近接して露出するスイッチノブ（８ａ）を設け、当該通路パイプ体（９）を２分割で夫々が相まって伸縮自在の第１通路パイプ（１１）の端部と第２通路パイプ（１２）との端部とが飲料がもれることのない適合スライドで所定の通路パイプ体（９）の長さが保持体（１３）によってホルド可能にし、ロングサイズやショートサイズでの様々な飲料入れのペットボトルに適合可能な通路パイプ体（９）に調整出来るようにしたことを特徴とするペットボトル用ポンプ。
【請求項２】
上記するペットボトル用で汲取る飲料が焼酎などのようなアルコール系飲料での使用時に、ペットボトル用ポンプをボトル開口部（ａ）に挿入のまま放置してのペットボトル内のアルコールが排出口（１０ａ）とがエア抜き孔（６ａ）から自然大気に発散して、気が抜けるのを防止するのに、第１通路パイプ（１１）の頂部（１４）に開口孔（１５）を設け、それに差込み結合回動自在な整合して飲料もれのないつまみ付での栓体（１６）の接合部（１７）の外周が開口孔（１５）に直交して通過する注出パイプ（１０）の入口（１０ｂ）の孔が閉成と開成可能なスリット（１８）を設けた回動自在な栓体（１６）でなり、更に回動自在に同期する栓体（１６）の一部に−体化した栓片（１６ａ）によって、ケース本体（６）のエア抜き孔（６ａ）の閉成とが、注出パイプ（１０）の入口（１０ｂ）の孔の閉成と開成とが同時に作動可能にしたことを特徴とする請求項１記載のペットボトル用ポンプ。
【請求項３】
上記する第１通路パイプ（１１）の頂部近辺で通路変換する注出パイプ（１０）の入口（１０ｂ）の孔が第１通路パイプ（１１）の軸芯と注出パイプ（１０）との軸芯とが、鋭角（Ｑ）に接続傾斜することで、ポンプ作動の停止後に注出パイプ（１０）の筒内に飲料の残留をなくしたことを特徴とする請求項１．２記載のペットボトル用ポンプ。
【発明の詳細な説明】
【技術分野】
【０００１】本発明は、ペットボトルに詰められた飲料を直接入れ物に汲取るのに使う電池式モーターポンプの構成に関する。
【背景技術】
【０００２】此の種の従来の技術として、特願２００３−３００５７０が知られる。これらを図３で述べるように、飲料入れのボトル開口部ａ’に挿入固着可能で、吸込み孔１ａ’付でのケース内に設けた羽根車２’が回動自在な連結棒１９に直結し、これらが蓋４’付で底受５’付でのエア抜き孔６ａのあるケース本体６’に内蔵する乾電池７’とスイッチ体８’、モーター３’とが夫々配線接続されて、羽根車２’の回動によって吸込まれた飲料が通路パイプ９’を通過し、それに直交して飲料の通路となるパイプ体１０’の注出口１０ａ’より排出する。【０００３】そして、これらの羽根車２’を回動するモーター３’は、その主軸に設けたプーリー２０からベルトを介在して、羽根車２’に直結する連結棒１９の端部に他のプーリー２０’が結合してモーター３’の回転を羽根車２’に伝達回動している構成である。
【発明の開示】
【発明が解決しようとする課題】
【０００４】しかしながら上記する従来技術での場合、通路パイプ体９’の全長が決められていることで、ペットボトル容積の大小のいずれにも適合が不可能という課題がある。全高の違うペットボトル例えば４リットルのペットボトルと２．７リットルとのいずれかが適合しないということである。【０００５】また、飲料を汲取るのにペットボトルにポンプを差込んだままで常時大気に放置することで飲料の通路となるパイプ体１０’の注出口１０ａ’やエア抜き孔６ａ’から自然にペットボトル内からの飲料のかおりや、清涼飲料水などの炭酸が気抜けするなどの課題があり、焼酎などのアルコール系は、注出口１０ａ’が開成の場合急速に気抜けするなどの課題がある。【０００６】そしてまた、注出１０ａ’のもつ注出口パイプ体９’を折りたたんでホールドし、再度折りたたんだ注出パイプ体９’を開成時に、瞬発的に解除する注出パイプ体９’に残っている飲料のしづくが外部に飛び散らすという課題が残る。
【課題を解決するための手段】
【０００７】この発明は、上記の欠点ともなる数々課題を解決するための、請求項１での発明において、図１で述べるように飲料入れのボトル開口部ａに挿入固定するケース本体６は、２分割で伸縮自在の手段をこうずるのに、第１通路パイプ１１と第２通路パイプ１２との２本の夫々を差込んだ状態に差込んで長短を自在にしたもので、これらの長さ加減は利用者が選んだ飲料入れのペットボトルのサイズに調整の出来る構造で夫々の通路パイプ体９は長短加減調整後に相方を固定する手段として、本実施例においては、ネジ式の保持体１３を使って相方を定着させる構成であるが、他の保持体での手段も可能であるので特にネジ式の保持体１３にこだわる必要がない。【０００８】勿論本発明でのモーター式でのポンプの形態は、モーターケース体１に内設する飲料を汲取るための羽根車２はモーター３の主軸に直結してモーターの回転と同時に回動する構成である。【０００９】次に請求項２での発明においては、図２で述べるように、ポンプで汲取る飲料が炭酸系の清涼飲料水や焼酎などのように外気に発散して気抜けなどする飲料は、排出口１０ａの孔とかエア抜き孔６ａから自然にもれることで、これらの排出口１０ａとかエア抜き孔６ａを完全に密封自在にする構成である。【００１０】即ち、第１通路パイプ１１の頂部１４に開口孔１５を設け、それに差込み結合回動自在な栓体１６が開口孔１５に接合し飲料もれのない構成であるが、これらの栓体１６は、開口孔１５に差込まれた状態で、これらの第１通路パイプ１１の頂部１４の近接で直交して飲料の通路を変換する注出パイプ体１０の入口の孔を閉成と開成との相互を可能にするスリット１８を一部に設けている。【００１１】次に第３請求項での発明においては図１．２で述べるように第１通路パイプ１１の頂部１４で通路を水平状態に変換して下方に向けて飲料を排出する下向きの注出口１０ａは、これらの注出口１０ａからのポンプ終了後の飲料切れをよくするために、第１通路パイプ１１に連結する注出パイプ体１０の連結は、第１通路パイプ１１の軸芯と注出パイプ体１０との軸芯とは、鋭角Ｑにし、やや注出口１０ａの先端を下方に傾斜状態の構成である。
【発明の効果】
【００１２】本発明は上述の通り構成作用することで次の優れた効果を奏する。即ち第１実施例においては、飲料入れのペットボトルのビッグサイズでの４リットルとかショートサイズでの２．７リットル入れなどの飲料の汲取りに一台のポンプで伸縮自在の通路パイプ体で対応の出来るペットボトル用ポンプを提供することが出来る。【００１３】次に第２実施例においては、焼酎などのようなアルコール系でのペットボトル用ポンプをペットボトルに挿入のままに放置した状態でのペットボトル内の飲料での気抜けは第１通路体の開口孔に差し込み蓋の面上に露出する栓体のつまみを回動しながら注出パイプ体の入口の孔とケ−ス本体に設けたエア抜き孔を同時密閉の出来るペットボトル用ポンプを提供することが出来る。【００１４】次に第３実施例においては、注出パイプが常時下方に向けて傾斜状態に床面に配置されることでポンプ停止後に注出口からの飲料たれのない飲料切れのよいペットボトル用ポンプを提供することが出来る。
【発明を実施するための最良の形態】
【００１５】以下実施例に基づいて本発明を更に詳細に説明する。
即ち図１は第１実施例を示し、飲料入れのペットボトルの開口部ａに挿入固着着脱自在でなるケース本体６の中央から伸びる吸いこみ孔１ａ付での筒状のモーターケ−ス体１は、その内部に飲料吸込み用の羽根車２が防水体でなるモーター３に回動自在に直結し、これらが蓋４付で底受５付でのエア抜き孔６ａのあるケース本体６に内蔵する乾電池７とスイッチ体８とを夫々配線接続されて、モーター３の主軸に直結する飲料汲取り用の羽根車２がモーター３の回動に準じて回動することでペットボトル内の飲料は底のすみずみまで外部に汲取られるが、これらの飲料は、モーターケース体１と接続する中空状の通路パイプ体９を通過する。【００１６】この通路パイプ体９の中空部はモーター３に配線する２本のリード線が通路パイプ体９の頂部にかけて延びており、通路パイプ体９の側面から外部に引き出されて、乾電池７とスイッチ体８に配線されるが通路パイプ体９の外部に引き出されるための通し孔６ｂは飲料もれのないよう接着される。【００１７】そして、これらの通路パイプ体９は２分割で伸縮自在の第１通路パイプ１１の端子と第２通路パイプ１２との端子とが嵌合し、飲料もれなくスライドの形式をとっているが、これらの通路パイプ体９の長さを加減した後に保持体１３を使って固着し長さを固定する。【００１８】これらの伸縮自在な２分割での通路パイプ体９は、保持体１３によって固着されるが、本実施例では筒状の第１通路パイプの内径に第２通路パイプの外径が差込まれスライド接合構成である。【００１９】そして、第１通路パイプ１１の外径の端部に切られたネジに噛み合う保持体１３のネジ込みによって、保持体１３の開口部のチパー部１３ａの移動によって第１通路パイプ１１の外周のチャッキングが第２通路パイプ１２の外周にくいいついて相互のパイプが固定される。【００２０】このように２分割での伸縮手段は本実施例以外での構成でも成立するので、この実施例に限るものでない。【００２１】次に図２は第２実施例を示し、上記するペットボトル用ポンプで汲取る飲料が発散性のある焼酎などのアルコール類では、ペットボトル用ポンプをペットボトル開口部ａに挿入のまま放置しての使用では、ペットボトル用ポンプの注出口１０ａとかケース本体のペットボトル開口部ａに通じるエア抜き孔６ａなどの開口する孔からの自然発散での気抜けを防ぐことが行われる。【００２２】即ち第１通路パイプ１１の頂部１４の側面開口孔１５を設け、それに回動自在で飲料もれなく係合する栓体１６の接合部１７の外周に開口部１５と直交して通過する注出パイプ１０の入口の孔を閉成と開成可能にするスリット１８の設けた栓体が抜けない構成でケース本体６の蓋４の上面に露出するツマミを一体化して第１通路パイプ１１の開口部１５に嵌合している。【００２３】更には上記するツマミ付での栓体１６の一部に一体化する栓片１６ａによって、それに整合するケース本体６のエア抜き孔６ａが閉成と開成を可能にしている。【００２４】即ち、栓体１６を回動することで、注出パイプ体１０の飲料の通過する入れ口の孔とエア抜き孔６ａが同時に閉成と開成とが行われることになる。【００２５】次に、第１．２図は第３実施例を示すが、上記する第１通路パイプ１１の頂部１４で角度変換して飲料の通過する注出パイプ体１０の連結は、通路パイプ体９の軸芯に交差する注出パイプ体１０との軸芯とが鋭角Ｑに結合する構成で、これらの注出パイプ体１０の先端の傾斜によって一体的に注出パイプ体１０の先端に設けた注出口１０ａからの飲料の残留がなくポンプ停止後の注出口１０ａの飲料切れをよくした構成である。残留した飲料が傾斜する注出パイプ体１０によって自然落下するということである。
【図面の簡単な説明】
【００２６】
【図１】  本発明に係る第１実施例第３実施例での一部断面での全体斜視図である。
【図２】  本発明に係る第２実施例第３実施例での一部断面での全体斜視図である。
【図３】  従来技術でのペットボトル用ポンプの縦断面図である。
【符号の説明】
【００２７】１                モーターケース体
１ａ．１ａ’      吸込み孔
ａ．ａ’          ボトル開口部
２．２’          羽根車
３．３’          モーター
４．４’          蓋
５．５’          底受
６．６’          ケース本体
６ａ．６ａ’      エア抜き孔
７．７’          乾電池
８．８’          スイッチ体
８ａ              スイッチノブ
９，９’          通路パイプ体
１０．１０’      注出パイプ体
１０ａ．１０ａ’  注出口
１１              第１通路パイプ
１２              第２通路パイプ
１３              保持体
１４              頂部
１５              開口部
１６              栓体
１６ｂ            栓片
１７              接合部
１８              スリット
【図１】
2005320061.tif 000003
【図２】
2005320061.tif 000004
【図３】
2005320061.tif 000005